(57)【特許請求の範囲】
【請求項１】
複数の磁気結合しない関係にある受信コイルからなる受信コイル部と、
前記複数の受信コイルの中から所定の受信コイルを選択する受信コイル選択手段と、
前記受信コイル部の磁気共鳴信号を受信するデータ収集部と、
前記受信コイル選択手段により選択された複数の受信コイルの磁気共鳴信号を位相加算し、位相加算された前記受信コイル同士が単一の受信コイルとしての感度分布を有するように感度均一化を行う感度均一化部と、
前記データ収集部の磁気共鳴信号又は前記感度均一化部により感度均一化された磁気共鳴信号を用い、ＳＥＮＳＥ法による処理又は二乗和処理を行って画像を形成するデータ処理部と、
前記受信コイルの磁気共鳴信号を用いて感度均一化部において感度均一化をするか又は感度均一化をしないで前記受信コイルの磁気共鳴信号を前記データ処理部に供給するかを選択する感度均一化選択手段と、
前記ＳＥＮＳＥ法による処理を行うか又は前記二乗和処理を行うかを選択する処理選択手段とを備えることを特徴とする磁気共鳴撮像装置。
【請求項２】
請求項１に記載の磁気共鳴撮像装置において、
前記ＳＥＮＳＥ法による処理において、複数の前記磁気共鳴信号のフーリエ変換により生成される複数の画像情報に含まれる折り返し画像を分離し、その分離により抽出された折り返し画像を用いて断層画像を形成することを特徴とする磁気共鳴撮像装置。
【請求項３】
請求項１に記載の磁気共鳴撮像装置において、
前記二乗和処理において、複数の前記磁気共鳴信号のフーリエ変換により生成される複数の画像情報の各画素値の二乗和を行うことを特徴とする磁気共鳴撮像装置。
【請求項４】
請求項１〜３のいずれか一つに記載の磁気共鳴撮像装置において、
前記受信コイル部は、４つの矩形状の受信コイルが円筒側面上であって円周方向に並んで配置され、隣接しない位置関係にあるそれぞれの２つの受信コイルが互いに対向していることを特徴とする磁気共鳴撮像装置。
【請求項５】
請求項４に記載の磁気共鳴撮像装置において、
隣接しない位置関係にある２つの受信コイルの磁気共鳴信号を用いて前記感度均一化部において感度均一化をすることを特徴とする磁気共鳴撮像装置。
【請求項６】
請求項１〜３のいずれか一つに記載の磁気共鳴撮像装置において、
前記受信コイル部は、４つの矩形状の受信コイルが一平面上であって一直線方向に並んで配置されていることを特徴とする磁気共鳴撮像装置。
【請求項７】
請求項６に記載の磁気共鳴撮像装置において、
隣接する位置関係にある２つの受信コイルの磁気共鳴信号を用いて前記感度均一化部において感度均一化をすることを特徴とする磁気共鳴撮像装置。
【請求項８】
請求項５又は７に記載の磁気共鳴撮像装置において、
前記処理選択手段によりＳＥＮＳＥ法による処理を選択し、前記感度均一化された磁気共鳴信号と、感度均一化選択部により感度均一化をしないことを選択した前記４つの受信コイルのうちの残りの２つの受信コイルの磁気共鳴信号とを用いて、前記データ処理部においてＳＥＮＳＥ法による処理を行うことを特徴とする磁気共鳴撮像装置。
【発明の詳細な説明】
【０００１】
【発明の属する技術分野】
この発明は、複数の受信コイル（ｃｏｉｌ）で複数の磁気共鳴信号を受信して、これら複数の受信信号から断層画像を画像合成する磁気共鳴撮像装置に関する。
【０００２】
【従来の技術】
磁気共鳴撮像装置では、電磁場を発生し被検体に磁気共鳴を生じさせるための送信コイルおよびこの磁気共鳴信号を受信するための受信コイルが使用されている。これらコイルのなかで、受信コイルは、磁気共鳴撮像装置から得られる断層画像の画質を決定する上で重要な要因となっている。特に、受信コイルの有する感度領域は、断層画像の撮像領域およびＳ／Ｎ（ｓｉｇｎａｌ  ｔｏ  ｎｏｉｓｅ  ｒａｔｉｏ）を決定する大きな要因となっている。
【０００３】
ここで、受信コイルを複数配設し、これら複数の受信コイルからの磁気共鳴信号をフーリエ変換し、得られた複数の断層画像から新たな断層画像を画像合成することが行われる。これによれば複数の画像合成手段が存在し、場合に応じて最適な画像合成手段に切り替えることが行われる。例えば、短時間で画像情報を取得したい場合にはＳＥＮＳＥ（ｓｅｎｓｉｔｉｖｉｔｙ  ｅｎｃｏｄｉｎｇ）法を用いた高速化処理が行われ、また、Ｓ／Ｎの良い画像を得たい場合には画素の二乗和を取る処理が行われる。
【０００４】
【発明が解決しようとする課題】
しかしながら、上記従来技術によれば目的とする感度分布を得る際には、受信コイルを変更する必要があった。すなわち、感度分布は、主として受信コイルの形状により決まるので、選択される画像合成手段に応じて最適なコイルを選択する必要があった。
【０００５】
特に、被検体の心臓の画像情報をＳＥＮＳＥ法を用いた画像合成手段で取得する際にＳＥＮＳＥ法用の複数の受信コイルを配置し、その後、この受信コイルを用いて画素の二乗和を取る処理にて画像情報を取得すると、感度分布の不均一な画像情報しか得られず、その都度受信コイルを入れ替える必要があった。これは、被検体およびオペレータ（ｏｐｅｒａｔｏｒ）にとって、大きな負担であり、また、検査時間が長くなる要因となっていた。
【０００６】
これらのことから、画像合成手段を変更する際に、受信コイルを変更することなく受信コイルの感度分布を変更して、被検体およびオペレータの受信コイルの変更に伴う負担を軽減し、同時に検査時間の短縮を計ることが極めて重要となる。
【０００７】
この発明は、上述した従来技術による課題を解決するためになされたものであり、被検体およびオペレータの負担を軽減し、同時に検査時間の短縮を計ることができる、磁気共鳴撮像装置を提供することを目的とする。
【０００８】
【課題を解決するための手段】
上述した課題を解決し、目的を達成するために、第１の観点の発明に係る磁気共鳴撮像装置は、複数の磁気結合しない関係にある受信コイルからなる受信コイル部と、前記受信コイル部の磁気共鳴信号を受信するデータ収集部と、前記データ収集部の磁気共鳴信号を用いたフーリエ変換手段および画像情報を合成する画像合成手段を有するデータ処理部と、前記データ収集部と前記データ処理部とを制御する受信制御部と、を備える磁気共鳴撮像装置であって、前記データ収集部は、複数の前記受信コイルを選択する選択手段と、前記データ処理部は、複数の前記画像合成手段を切り替える切替手段と、前記受信制御部は、前記選択手段を制御する制御手段と、を備えることを特徴とする。
【０００９】
この第１の観点による発明によれば、データ収集部は、複数の受信コイルを選択する選択手段と、データ処理部は、複数の前記画像合成手段を切り替える切替手段と、受信制御部は、選択手段を制御する制御手段と、を備えることとしているので、被検体と複数の受信コイルをマグネットシステム中心部に配置した後で受信コイルの選択および画像合成手段を自由に選択、切り換えることができる。
【００１０】
また、第２の観点の発明に係る磁気共鳴撮像装置は、前記選択手段として、
選択された複数の前記受信コイルの位置に応じて前記磁気共鳴信号同士を加算あるいは減算する加減算手段を備えることを特徴とする。
【００１１】
この第２の観点の発明によれば、選択手段として、選択された複数の受信コイルの位置に応じて磁気共鳴信号同士を加算あるいは減算する加減算手段を備えることとしているので、複数の受信コイルを接続して形成される一つの閉ループと同等の感度分布を持つ受信コイルを得ることができる。
【００１２】
また、第３の観点の発明に係る磁気共鳴撮像装置は、前記画像合成手段として、複数の前記磁気共鳴信号のフーリエ変換により生成される複数の画像情報から、折り返し画像を分離する分離手段と、前記分離手段により抽出された折り返し画像を用いて断層画像を生成する生成手段と、を備えることを特徴とする。
【００１３】
この第３の観点の発明によれば、画像合成手段として、複数の磁気共鳴信号のフーリエ変換により生成される複数の画像情報から、折り返し画像を分離する分離手段と、分離手段により抽出された折り返し画像を用いて断層画像を生成する生成手段と、を備えることとしているので、フェイズエンコード数を減らしスキャン時間を短縮することで高速に画像情報の収集をすることができる。
【００１４】
また、第４の観点の発明に係る磁気共鳴撮像装置は、前記画像合成手段として、複数の前記磁気共鳴信号のフーリエ変換により生成される複数の画像情報の各画素値の二乗和を行う演算手段を備えることを特徴とする。
【００１５】
この第４の観点の発明によれば、画像合成手段として、複数の磁気共鳴信号のフーリエ変換により生成される複数の画像情報の各画素値の二乗和を行う演算手段を備えることとしているので、信号強度が高くＳ／Ｎの良い画素が強調された断層画像を取得することができる。
【００１６】
また、第５の観点の発明に係る磁気共鳴撮像装置は、前記切換手段として、前記画像合成手段に応じて前記選択手段を切り替えることを特徴とする。
この第５の観点の発明によれば、切換手段として、画像合成手段に応じて選択手段を切り替えることとしているので、感度分布が画像合成手段に最適化されたコイル構成でスキャンを行うことができる。
【００１７】
また、第６の観点の発明に係る磁気共鳴撮像装置は、複数の磁気結合しない関係にある受信コイルからなる受信コイル部と、前記受信コイル部からの磁気共鳴信号を受信するデータ収集部と、前記データ収集部の磁気共鳴信号を用いたフーリエ変換手段および画像情報を合成する画像合成手段を有するデータ処理部と、を有し、前記データ処理部は、複数の前記受信コイルを選択する選択手段と、複数の前記画像合成手段を切り替える切替手段と、を備えることを特徴とする。
【００１８】
この第６の観点の発明によれば、データ処理部は、複数の受信コイルを選択する選択手段と、複数の画像合成手段を切り替える切替手段と、を備えることとしているので、被検体と複数の受信コイルをマグネットシステム中心部に配置した後で受信コイルの選択および画像合成手段を、ソフトウェア的に自由に選択、切り換えることができる。
【００１９】
また、第７の観点の発明に係る磁気共鳴撮像装置によれば、前記データ収集部として、前記受信コイルの数と同数の受信手段を有することを特徴とする。
この第７の観点の発明に係る磁気共鳴撮像装置は、データ収集部として、受信コイルの数と同数の受信手段を有することとしているので、受信コイルで受信される磁気共鳴信号を無駄なく利用することができる。
【００２０】
また、第８の観点の発明に係る磁気共鳴撮像装置は、前記選択手段として、前記受信コイルの位置に応じて前記磁気共鳴信号に位相補正を加える位相補正手段と、前記位相補正手段により補正された前記磁気共鳴信号同士を加算する加算手段と、を備えることを特徴とする。
【００２１】
この第８の観点の発明によれば、選択手段として、受信コイルの位置に応じて磁気共鳴信号に位相補正を加える位相補正手段と、位相補正手段により補正された磁気共鳴信号同士を加算する加算手段と、を備えることとしているので、複数の受信コイルを接続して形成される一つの閉ループと同等の感度分布持つ受信コイルを得ることができる。
【００２２】
また、第９の観点の発明に係る磁気共鳴撮像装置は、前記画像合成手段として、複数の前記磁気共鳴信号のフーリエ変換により生成される複数の画像情報から、折り返し画像を分離する分離手段と、前記分離手段により抽出された折り返し画像を用いて断層画像を生成する生成手段と、を備えることを特徴とする。
【００２３】
この第９の観点の発明に係る磁気共鳴撮像装置によれば、画像合成手段として、複数の磁気共鳴信号のフーリエ変換により生成される複数の画像情報から、折り返し画像を分離する分離手段と、分離手段により抽出された折り返し画像を用いて断層画像を生成する生成手段と、を備えることとしているので、フェイズエンコード数を減らしスキャン時間を短縮することで高速に画像情報の収集をすることができる。
【００２４】
また、第１０の観点の発明に係る磁気共鳴撮像装置によれば、前記画像合成手段として、複数の前記磁気共鳴信号のフーリエ変換により生成される複数の画像情報の各画素値の二乗和を行う演算手段を備えることを特徴とする。
【００２５】
この第１０の観点の発明によれば、画像合成手段として、複数の磁気共鳴信号のフーリエ変換により生成される複数の画像情報の各画素値の二乗和を行う演算手段を備えることとしているので、信号強度が高くＳ／Ｎの良い画素が強調された断層画像を取得することができる。
【００２６】
また、第１１の観点の発明に係る磁気共鳴撮像装置によれば、前記切換手段は、前記画像合成手段に応じて前記選択手段を切り替えることを特徴とする。
この第１１の観点の発明によれば、切換手段は、画像合成手段に応じて選択手段を切り替えることとしているので、感度分布が画像合成手段に最適化されたコイル構成でスキャンを行うことができる。
【００２７】
【発明の実施の形態】
以下に添付図面を参照して、この発明にかかる磁気共鳴撮像装置の好適な実施の形態について説明する。なお、これにより本発明が限定されるものではない。
【００２８】
（実施の形態１）
まず、本発明の実施の形態１にかかる磁気共鳴撮像装置の全体構成について説明する。図１は、この発明の実施の形態１である磁気共鳴撮像装置の全体構成を示すブロック図である。図１において、この磁気共鳴撮像装置は、マグネットシステム（ｍａｇｎｅｔ  ｓｙｓｔｅｍ）１００を有する。マグネットシステム１００は主磁場コイル（ｃｏｉｌ）部１０２、勾配コイル部１０６、送信コイル部１０８および受信コイル部１１０を有する。これら各コイル部は概ね円筒状の形状を有し、互いに同軸的に配置されている。マグネットシステム１００の概ね円柱状の内部空間（ボア：ｂｏｒｅ）に、撮影の被検体１がクレードル（ｃｒａｄｌｅ）１２０に搭載されて図示しない搬送手段により搬入および搬出される。
【００２９】
主磁場コイル部１０２はマグネットシステム１００の内部空間に静磁場を形成する。静磁場の方向は概ね被検体１の体軸の方向に平行である。すなわちいわゆる水平磁場を形成する。主磁場コイル部１０２は例えば超伝導コイルを用いて構成される。なお、超伝導コイルに限らず常伝導コイル等を用いて構成してもよいのはもちろんである。
【００３０】
勾配コイル部１０６は、互いに垂直な３軸すなわちスライス（ｓｌｉｃｅ）軸、位相軸および周波数軸の方向において、それぞれ静磁場強度に勾配を持たせるための３つの勾配磁場を発生させる。
【００３１】
送信コイル部１０８は、静磁場空間にある被検体１の体内に磁気共鳴を励起するための高周波磁場を形成する。また、受信コイル部１１０は、クレードル１２０上に置かれ、被検体１と共にマグネットシステム１００の中心部に配置される。この受信コイル部１１０は、送信コイル部１０８により被検体１の体内に励起された磁気共鳴信号を受信する。
【００３２】
勾配コイル部１０６には勾配駆動部１３０が接続されている。勾配駆動部１３０は勾配コイル部１０６に駆動信号を与えて勾配磁場を発生させる。勾配駆動部１３０は、勾配コイル部１０６における３系統の勾配コイルに対応して、図示しない３系統の駆動回路を有する。
【００３３】
送信コイル部１０８には送信駆動部１４０が接続されている。送信駆動部１４０から送信コイル部１０８に駆動信号を与えてＲＦパルスを送信し、送信コイル部１０８は、送信されたＲＦパルスからＲＦ磁場をマグネットシステム１００の中心部に形成し、被検体１を磁気共鳴の励起状態にする。
【００３４】
受信コイル部１１０には、データ収集部１５０が接続されている。データ収集部１５０は、受信コイル部１１０が受信した受信信号をサンプリング（ｓａｍｐｌｉｎｇ）によって取り込み、それをディジタルデータ（ｄｉｇｉｔａｌ  ｄａｔａ）として収集する。また、複数の受信コイルからの信号を選択し、加算する機能も有する。
【００３５】
勾配駆動部１３０、送信駆動部１４０およびデータ収集部１５０にはスキャンコントローラ部１６０が接続されている。受信制御部であるスキャンコントローラ部１６０は、勾配駆動部１３０ないしデータ収集部１５０をそれぞれ制御して撮影を遂行する。
【００３６】
データ収集部１５０の出力側はデータ処理部１７０に接続されている。データ収集部１５０が収集したデータがデータ処理部１７０に入力される。データ処理部１７０は、例えば計算機等を用いて構成される。データ処理部１７０は図示しないメモリを有する。メモリはデータ処理部１７０用のプログラムおよび各種のデータを記憶している。
【００３７】
データ処理部１７０はスキャンコントローラ部１６０に接続されている。データ処理部１７０はスキャンコントローラ部１６０の上位にあってそれを統括する。本装置の機能は、データ処理部１７０がメモリに記憶されたプログラムを実行することにより実現される。
【００３８】
データ処理部１７０は、データ収集部１５０が収集したデータをメモリに記憶する。メモリ内にはデータ空間が形成される。このデータ空間は２次元フーリエ（Ｆｏｕｒｉｅｒ）空間を構成する。データ処理部１７０は、該２次元フーリエ空間のデータを２次元逆フ−リエ変換することにより被検体１の画像を再構成する。
【００３９】
データ処理部１７０には表示部１８０および操作部１９０が接続されている。表示部１８０は、グラフィックディスプレー（ｇｒａｐｈｉｃ  ｄｉｓｐｌａｙ）等で構成される。操作部１９０はポインティングデバイス（ｐｏｉｎｔｉｎｇ
ｄｅｖｉｃｅ）を備えたキーボード（ｋｅｙｂｏａｒｄ）等で構成される。
【００４０】
表示部１８０は、データ処理部１７０から出力される再構成画像および各種の情報を表示する。操作部１９０は、使用者によって操作され、各種の指令や情報等をデータ処理部１７０に入力する。使用者は表示部１８０および操作部１９０を通じてインタラクティブ（ｉｎｔｅｒａｃｔｉｖｅ）に本装置を操作する。
【００４１】
次に、図１に示した受信コイル部１１０の具体的な構成を図２を用いて説明する。図２は、四つの矩形状のコイル２１０〜２４０を、コイル２１０と２３０のコイル面、およびコイル２２０と２４０のコイル面が対向する形で円筒面上に配設したものである。被検体１は、コイル２１０〜２４０で構成されるリング状の断面内に裁置される。ここで、矩形状のコイル２１０〜２４０の各々は、隣接するコイルとコイル面が概ね１０％重なり合っている。これにより、隣接するコイル間に発生する磁気結合を無くしている。
【００４２】
また、コイル２１０〜２４０で受信される磁気共鳴信号は、低入力インピーダンスを有するプリアンプ２１２〜２４２で受信され、ケーブルを介してデータ収集部１５０へ送られる。コイル２１０〜２４０とプリアンプ２１２〜２４２の間には、図示されていない並列共振回路が接続されており、かつ該並列共振回路の共振周波数は対向するコイルと磁気結合した場合の共振周波数に設定されている。従って、該並列共振回路は、前記共振周波数において高インピーダンス状態になり、対向するコイルとの間の磁気結合を無くすことができる。
【００４３】
つぎに、図１に示したデータ収集部１５０の具体的な構成を、図３を用いて説明する。データ収集部１５０は、受信コイル部１１０のコイル２１０〜２４０で受信した磁気共鳴信号をプリアンプ２１２〜２４２を介して受信する。プリアンプ２１２〜２４２から入力した磁気共鳴信号は、受信部３２０〜３２６で受信、増幅され、検波部３３０に送られる。検波部３３０では、検波が行われ、磁気共鳴信号の共鳴周波数成分が低周波数側へ移行される。その後、Ａ／Ｄ（ａｎａｌｏｇ  ｔｏ  ｄｉｇｉｔａｌ）変換部３４０において、アナログ（ａｎａｌｏｇ）信号からデジタル（ｄｉｇｉｔａｌ）信号に変換され、その後、データ処理部１７０に転送される。
【００４４】
また、受信部３２０および３２４の入力側には、加算器３０２および３０４が配設されており、受信部３２２および３２６の入力側および出力側には、スイッチ３１２および３１６、そして、スイッチ３１４および３１８が配設されている。スイッチ３１２〜３１８は、スキャンコントローラ部１６０からの制御信号により切り替えが行わる。例えば、位相加算が行われない場合には、プリアンプ２１２〜２４２の出力は、受信部３２０〜３２６に接続され、また、位相加算が行われる場合には、スイッチ３１２および３１４の少なくとも一つが加算器３０２あるいは３０４に接続される。なお、受信部３２２および３２６の出力側のスイッチ３１６および３１８は、入力側が位相加算を行う場合には、開放状態に設定される。
【００４５】
つぎに、図1に示した磁気共鳴撮像装置の処理手順ついて述べる。図４は、図１に示した磁気共鳴撮像装置の動作を示すフローチャートである。
同図に示すように、オペレータは、クレードル１２０上に受信コイル部１１０および受信コイル部１１０の内部に被検体１配置し（ステップＳ４０３）、被検体１をクレードル１２０ごとマグネットシステム１００の中央部に配置する。被検体１のマグネットシステム１００への設置が終了すると、オペレータは、操作部１９０からの指示により、プリスキャン（ｐｒｅｓｃａｎ）を行う（ステップＳ４０５）。このプリスキャンにおいては、磁気共鳴周波数の調整や、送信駆動部１４０から出力される送信パワー（ｐｏｗｅｒ）の最適化や、データ収集部１５０の受信部３２０〜３２６の増幅器の利得調整や、受信コイルの感度分布の測定などが行われる。
【００４６】
その後、オペレータは、位置決めスキャンを行う（ステップＳ４０７）。この位置決めスキャンで表示部１８０上に得られた断層画像に基づいて、オペレータは、表示部１８０上で被検体１の撮像を行う部位を、例えばポインティングデバイスを用いて決定し、断層画像領域の設定を操作部１９０を用いて行う（ステップＳ４０９）。そして、磁気共鳴信号を受信するための手順を決めるパルスシーケンス（ｐｕｌｓｅ  ｓｅｑｕｅｎｃｅ）の設定を行う（ステップＳ４１０）。これは、パルスシーケンスの種類の設定、例えば、スピンエコー（ｓｐｉｎ  ｅｃｈｏ）法とかグラジエントエコー（ｇｒａｄｉｅｎｔ  ｅｃｈｏ）法とかが選択され、さらに、該パルスシーケンスの繰り返し時間とか、エコー時間とかが操作部１９０から設定、入力される。
【００４７】
その後、複数のコイル２１０〜２４０の磁気共鳴信号を、フーリエ変換する以前に位相加算し、位相加算された該受信コイル同志が単一の受信コイルとしての感度分布を有するようにする感度均一化を行うかどうかを判定する（ステップＳ４１１）。感度均一化を行う場合には（ステップＳ４１１肯定）、感度均一化処理（ステップＳ４１３）を行い、感度均一化を行わない場合には（ステップＳ４１１否定）、次のステップに進む。
【００４８】
その後、オペレータは、フェイズエンコード（ｐｈａｓｅ  ｅｎｃｏｄｅ）数を間引いて、スキャン時間の短縮を計る高速化を行うかどうかを判定する（ステップＳ４１５）。スキャン時間の短縮を行う場合には（ステップＳ４１５肯定）、高速化処理（ステップＳ４１７）を行い、スキャン時間の短縮を行わない場合には（ステップ４１５否定）、二乗和処理（ステップＳ４１９）を行い、画像情報を取得する。これらステップＳ４１７、あるいはステップＳ４１９では、受信コイル部１１０で取得した断層画像の２次元フーリエ変換情報を、データ収集部１５０に送信して、検波、ディジタル化した後で、さらにデータ処理部１７０のメモリに転送し、該メモリ内で画像再構成が行われ、画像情報が得られる。
【００４９】
その後、高速化処理あるいは二乗和処理により得られた画像情報を表示部１８０に表示する（ステップＳ４２１）。そして、受信コイル部１１０および被検体１を変更することなく、感度均一化処理、高速化処理、二乗和処理等の処理を変更して再度画像スキャンを行うかどうかを判定する（ステップＳ４２３）。処理を変更して再度画像スキャンを行う場合には（ステップＳ４２３肯定）、ステップＳ４１０に移行し、再度パルスシーケンスの設定を行う。処理を変更しない場合には（ステップＳ４２３否定）、被検体１の取得したい断層画像領域を変更するかどうかを判定し（ステップＳ４２５）、断層画像領域を変更する場合には（ステップＳ４２５肯定）、ステップＳ４０７に移行し、位置決めスキャンを行い、断層画像領域を決定する処理を行う。また、断層画像領域を変更しない場合には（ステップＳ４２５否定）、この磁気共鳴撮像装置が行う全処理を終了する。
【００５０】
次に、ステップＳ４１３の感度均一化処理について、図５のフローチャートを用いて説明する。感度均一化処理行う際には、オペレータは、コイル２１０〜２４０の中から選択可能な対向するコイル対を選択する（ステップＳ５０１）。本実施の形態では、位相加算ができるコイル２１０と２３０、およびコイル２２０と２４０のコイルの組が選択できる。これらコイル対は、コイル面が対向する形に配設されており、位相加算することにより、円筒形状を有する受信コイル部１１０の中心近傍の感度を良くすることができる。
【００５１】
その後、選択されたコイルのスイッチ３１２〜３１８を切り替え（ステップＳ５０３）、選択されたコイルの組が位相加算して一つの磁気共鳴信号を出力する。例えば、コイル２１０と２３０に感度均一化処理を行わず、コイル２２０と２４０に感度均一化処理を行う場合には、図３に例示されているように、スイッチ３１２は、受信部３２２に接続され、スイッチ３１４は、加算器３０４に接続され、スイッチ３１６は、接続状態にされ、スイッチ３１８は、開放状態にされる。そして、感度均一化の全処理を終了する。
【００５２】
次に、図４に示したステップＳ４１７のＳＥＮＳＥ法を用いた高速化処理について、図６のフローチャートを用いて説明する。なお、高速化処理を模式的に示した図７〜１０を適宜参照しながら説明を進めていく。
【００５３】
高速化処理を行うに当たっては、図４のステップＳ４０９で断層画像領域が設定されている必要がある。図７に、断層画像領域に被検体１の断層画像が表示された例を示した。断層画像領域は、取得したい画像領域であり、オペレータによる位置決めスキャンで得られる断層画像から表示部１８０上にステップＳ４０９で設定される。２次元的な断層画像領域は、フェイズエンコード方向と周波数方向の２方向で画像取得方法が異なり、図示した方向に設定されている。また、生成される断層画像の性質がこの２方向で異なる。
【００５４】
まず、高速化処理では、減数因子の設定がおこなわれる（ステップＳ６０１）。この減数因子は、高速化処理で間引かれるフェイズエンコード数の割合であり、従って、短縮されるスキャン時間の割合でもある。例えば、減数因子＝３の場合には、フェイズエンコード数は、１／３にされ、従ってスキャン時間も概ね１／３となる。一方、画像取得領域は、図７の領域１、２、あるいは３に図示された様に断層画像領域の１／３に設定される。これにより、画像取得領域の単位画素の大きさは、フェイズエンコード数を減らしたにもかかわらず、断層画像領域の単位画素の大きさと等しくなる。また、画像取得領域は、被検体１の断層画像より小さくなるため、領域１、２、および３の断層画像が折り返し像を形成し、重なり合った画像となる。
【００５５】
その後、高速化処理では、受信コイルの数が減数因子の数に等しいかもしくは越える数かどうか判定される（ステップＳ６０３）。これは、後述する（１０．１）、（１０．２）、（１０．３）の連立１次方程式が、受信コイルの数が減数因子の数に等しいかもしくは越える数の場合にのみ解を有し、高速化処理が可能となるからである。従って、受信コイルの数が減数因子の数に等しいかもしくは越える数でない場合には、ステップＳ６０１に移行し、小さい減数因子を再度設定する。
【００５６】
また、受信コイルの数が減数因子の数に等しいかもしくは越える数である場合には、次のステップに進み、画像取得領域を設定する（ステップＳ６０５）。これは、図７の領域１，２，あるいは３に相当するもので、オペレータが手動で設定してもよいし、あるいはデータ処理部１７０で自動的に設定しても良い。
【００５７】
また、高速化処理では、画像取得領域の重なり合った折り返し像を分離抽出するために、ステップＳ４０５のプリスキャン時に求めた複数のコイルごとの感度分布を使用する。図８（Ａ）〜（Ｃ）に、本実施の形態１のコイル２１０並びに感度均一化処理を行ったコイル２２０と２４０並びにコイル２３０の断層画像領域の感度分布を等高線の形で示した。線間隔が密なほど高感度を意味する。
【００５８】
その後、画像スキャンを行い（ステップＳ６０９）コイル部１０８からＲＦパルスを照射し被検体１を励起し、受信コイル部１１０で受信する。そして、受信したフーリエ変換情報である画像情報をデータ処理部１７０で逆フーリエ変換により画像再構成を行う（ステップＳ６１１）。この際、コイル２１０、感度均一化処理を行ったコイル２２０と２４０、およびコイル２３０で得られた画像取得領域の取得画像を図７（Ｃ）に示した。これら三つの取得画像は、図７の領域１、２、および３の断層画像を重ね合わした同一形態の画像を有するが、図８（Ａ）〜（Ｃ）で示した各コイルの感度分布を反映して、コイルごとに異なる感度分布の取得画像が得られる。
【００５９】
その後、図９（Ａ）〜（Ｃ）の取得画像から、図７に示した断層画像領域の断層画像がデータ処理部１７０の計算により画像生成される（ステップＳ６１３）。一例として、図７に示したＩ１、Ｉ２、およびＩ３の各点の画素値を求める場合を示す。その他の点の画素値を求める場合も同様である。ここで、Ｉ１、Ｉ２、およびＩ３は、領域１，２、および３の各画像取得領域内においては同一の位置に存在する点とする。
【００６０】
また、コイル２１０、感度均一化処理を行ったコイル２２０と２４０、およびコイル２３０の断層画像領域内における感度分布を示した図８（Ａ）〜（Ｃ）において、Ｉ１、Ｉ２、およびＩ３と同一の位置を表す点を、コイル２１０の場合にＳ１１、Ｓ１２、Ｓ１３とし、コイル２２０と２４０の場合にＳ２１、Ｓ２２，Ｓ２３とし、コイル２３０の場合にＳ３１、Ｓ３２、Ｓ３３とする。
【００６１】
また、図９（Ａ）〜（Ｃ）に示したコイル２１０、感度均一化処理を行ったコイル２２０と２４０、およびコイル２３０の取得画像で、画像取得領域内でＩ１、Ｉ２、およびＩ３と同一の位置を有する点をＭ１，Ｍ２，およびＭ３とする。
【００６２】
ここで、点Ｍ１の画素値をＰ（Ｍ１）とすると（以下Ｐ（Ｋ）は、点Ｋにおける画素値を表す）、Ｐ（Ｍ１）は断層画像領域のＩ１、Ｉ２、およびＩ３における画素値Ｐ（Ｉ１）、Ｐ（Ｉ２）、およびＰ（Ｉ３）にコイル２１０の感度分布の同一位置における画素値Ｐ（Ｓ１１）、Ｐ（Ｓ１２）、およびＰ（Ｓ１３）を乗算し、さらにコイル２１０の取得画像においては、領域１，２、および３の断層画像が重なり合うことから、Ｉ１、Ｉ２、およびＩ３の各画素値の乗算結果を加算したものとなる。これを数式で表したのが、次式（１０．１）である。
【００６３】
【数１】
0003842612.tif 000002
【００６４】
また、点Ｍ２の画素値Ｐ（Ｍ２）および点Ｍ３の画素値Ｐ（Ｍ３）に関しても同様にして式（１０．２）、（１０．３）が得られる。ここで、式（１０．１）、（１０．２）、（１０．３）の三つの式は、画素値Ｐ（Ｉ１）、Ｐ（Ｉ２）、およびＰ（Ｉ３）を未知数とする３元連立１次方程式となっている。従って、この方程式を解くことにより、画素値Ｐ（Ｉ１）、Ｐ（Ｉ２）、およびＰ（Ｉ３）が求まり、さらに、断層画像領域のすべての点について、この計算を繰り返すことにより、断層画像領域の画素値がすべて求まる。そして、この高速化の全処理を終了する。
【００６５】
【数２】
0003842612.tif 000003
【００６６】
次に、図４に示したステップＳ４１９の二乗和処理について、図１１のフローチャートを用いて説明する。なお、二乗和処理を模式的に示した図１２〜１４を適宜参照しながら説明を進めていく。
【００６７】
二乗和処理では、オペレータが画像取得領域をステップＳ４０９で設定された断層画像領域と等しく設定する（ステップＳ８０１）。従って、図１２に示すように、画像取得領域は、被検体１の断層画像を含むものとなる。該画像取得領域の画像情報を画像スキャンにより取得する（ステップＳ８０３）。そして、該画像情報をデータ処理部１７０で逆フーリエ変換することにより画像再構成を行い（ステップＳ８０５）、コイルごとの取得画像が得られる。図１２（Ａ）〜（Ｃ）に、コイル２１０、感度均一化処理を行ったコイル２２０と２４０、およびコイル２３０の三つの取得画像を示した。また、それら取得画像周囲には、コイル位置も同時に記載した。これら三つの取得画像は、各コイルの感度分布を反映し、コイル近傍の高感度領域では、取得画像中に実線で示したように鮮明な断層画像が得られ,コイルから離れた低感度領域では、取得画像中に破線で示したようにＳ／Ｎの低い、不鮮明な断層画像が得られる。
【００６８】
その後、データ処理部１７０において、式（１４）に示した演算を行う。ここで、これら取得画像の画像取得領域の同一位置の点の画素値をノイズ値で割った値を二乗和し、さらに該二乗和の平方根を計算し、断層画像の画素値とする（ステップＳ８０７）。例えば、図１２の断層画像領域上のＩ１００の点の画素値Ｐ（Ｉ１００）を求める場合には、図１２（Ａ）〜（Ｃ）の取得画像上の同一位置Ｓ１０１、Ｓ１０２、およびＳ１０３の画素値Ｐ（Ｓ１０１）、Ｐ（Ｓ１０２）、およびＰ（Ｓ１０３）を、コイルごとのノイズ値Ｎ（２１０）、Ｎ（２２０）、Ｎ（２３０）で割った値の二乗和を計算し、これらの平方根を取った値をＰ（Ｉ１００）とする。そして、この計算を画像取得領域のすべての画素に対して行い一枚の断層画像が得られる。これで、この二乗和の全処理を終了する。
【００６９】
【数３】
0003842612.tif 000004
【００７０】
上述してきたように、本実施の形態１では、複数のコイル２１０〜２４０をマグネットシステム１００の中心近傍に配置した後で、ステップＳ４１２の感度均一化処理、ステップＳ４１７の高速化処理、ステップＳ４１９の二乗和処理等の選択ができるようにしているので、前記処理に代表される画像合成処理を変更する際に受信コイルを取り替えるなくても、感度均一化処理により画像合成処理に適した感度分布の受信コイルをえることができ、被検体１およびオペレータの肉体的負担が軽減される。また、コイル２１０〜２４０内に被検体１が配置された後で画像合成処理を変更できるため、コイル２１０〜２４０と被検体１の位置関係を全く変更せずに、画像合成処理を変更でき、画像合成処理を変更した後で、画像合成処理を変更する前と正確に同一位置の断層画像を取得することができる。
【００７１】
また、高速化処理として、断層画像の２次元フーリエ変換情報を取得する場合を示したが、２つのフェイズエンコード方向を有する立体画像の３次元フーリエ変換情報を取得する場合にも同様に適用することができる。
【００７２】
また、受信コイルの磁気共鳴信号を位相加算する前に、磁気共鳴信号に位相シフタにより位相補正を行うことで、対向する受信コイル以外の受信コイル同士でも感度均一化処理を行うことができる。
【００７３】
また、本実施の形態１は、水平磁場型の磁気共鳴撮像装置を用いた例を示したが、垂直磁場型の磁気共鳴撮像装置を用いても同様に実現できる。
（実施の形態２）
ところで、上記実施の形態１では、四つの矩形状の受信コイルを円筒の表面に配設した場合を示したが、該受信コイルを平面状に配設して動作させてもよい。次の実施の形態２では、四つの矩形状の受信コイルを平面状に配設している場合を示す。
【００７４】
図１３は、この実施の形態２にかかる受信コイル部１０００の具体的な構成を示す図である。なお、この受信コイル部１０００は、図１に示した受信コイル部１１０に対応するものであり、その他の構成については、図１に示したものと同様のものとなるので、ここではその詳細な説明を省略する。
【００７５】
図１３に示した受信コイル部１０００は、四つの矩形状のコイル１０１０〜１０４０を、コイル面が同一平面上に並ぶ様に配設したものである。被検体１は、コイル１０１０〜１０４０で構成される平面上に載置される。ここで、矩形状のコイル１０１０〜１０４０の各々は、隣接するコイルとコイル面が概ね１０％重なり合っている。これにより、隣接するコイル間に発生する磁気結合を無くしている。
【００７６】
また、四つのコイル１０１０〜１０４０で受信される磁気共鳴信号は、低入力インピーダンスを有する四つのプリアンプ１０１２〜１０４２で受信され、ケーブルを介してデータ収集部１５０へ送られる。コイル１０１０〜１０４０とプリアンプ１０１２〜１０４２の間には、図示されていない並列共振回路が接続されており、かつ該並列共振回路の共振周波数は、二番目に近接する重なり合わないコイルと磁気結合した場合の共振周波数に設定されている。従って、該並列共振回路は、共振周波数において高インピーダンス状態になり、二番目に近接したコイルとの間の磁気結合を無くすことができる。
【００７７】
また、四つのコイル１０１０〜１０４０は、データ収集部１５０の受信部３２０〜３２６に接続されている。コイル１０１０は受信部３２０に、コイル１０２０は受信部３２２に、コイル１０３０は受信部３２４に、コイル１０４０は受信部３２６に接続されるようになっており、コイル１０１０と１０２０、およびコイル１０３０と１０４０は、加算器３０２とスイッチ３１２、および加算器３０４とスイッチ３１４により位相加算を行い感度均一化処理をおこなうことができる。
【００７８】
次に、受信コイル部１０００を用いた場合の動作について説明するが、図４に示した実施の形態１に係る動作と、ステップＳ４１３の感度均一化処理を除いては同一の処理を行うので、ここで詳細な説明は省略し、図１４のフローチャートを用いて本実施の形態３の感度均一化処理についてのみ述べる。
【００７９】
図１４に示した感度均一化処理においては、隣接するコイル１０１０と１０２０、あるいはコイル１０３０と１０４０のいずれかのコイル対の組み合わせを選択する（ステップＳ１１０１）。平面状にコイル３１２〜３１８が配置された受信コイル部１０００においては、隣接するコイル対の位相加算を行うことで、コイル面から離れた部位、すなわち、被検体１では、深い部位の感度をよくすることができる。そして、選択されたコイル対に対応するスイッチ３１２〜３１８を切り換えて（ステップＳ１１０３）、位相加算を行うようにする。例えば、コイル１０３０と１０４０のコイルの組を選択した場合には、図３に示された様に、スイッチ３１２は受信部３２２に接続し、スイッチ３１４は加算器３０４に接続し、スイッチ３１６は接続状態にし、スイッチ３１８は開放状態にする。そして、この感度均一化の全処理を終了する。
【００８０】
上述してきたように、この実施の形態２では、受信コイル部１０００を、四つの矩形状のコイル１０１０〜１０４０が列をなし平面状に配設された構造としたため、被検体１の長い臓器、例えば脊髄のような領域を撮像する場合に、ステップＳ４１９の二乗和処理による断層画像を取得した後で、受信コイル部１０００および被検体１をマグネットシステム１００の中心部に配置しなおすこと無く、高速化処理を行い、高速化処理画像を取得することができる。また、感度均一化処理も必要に応じて選択、非選択ができるので、受信コイル部１０００の表面から離れた部分の断層画像を取得するか、あるいは、受信コイル部１０００の表面近傍部分の断層画像を取得するかが選択できる。
【００８１】
（実施の形態３）
ところで、上記実施の形態１および２では、データ収集部１５０にスイッチを設けて受信用コイルの選択を行っていたが、同様の処理をスイッチを用いずに、データ処理部においてソフトウェアを用いて行うこともできる。その際、画像合成処理は、データ処理部に用意されたコイルと各種画像合成処理の対応表であるコイルテーブルを参照して選択される。次の実施の形態３では、ソフトウェアを用いて受信コイルおよび画像合成処理の選択を行い、画像表示をする場合を示す。
【００８２】
図１５および図１６は、この実施の形態３にかかるデータ収集部７５０およびデータ処理部７７０の具体的な構成を示す図である。なお、このデータ収集部７５０およびデータ処理部７７０は、図１に示したデータ収集部１５０およびデータ処理部１７０に対応するものであり、その他の構成については、図１に示したものと同様のものとなるので、ここではその詳細な説明を省略する。
【００８３】
つぎに、図１５に示したデータ収集部７５０の具体的な構成を説明する。データ収集部７５０は、受信コイル部１１０のコイル２１０〜２４０で受信した磁気共鳴信号をプリアンプ２１２〜２４２を介して受信する。プリアンプ２１２〜２４２から入力した磁気共鳴信号は、受信部３２０〜３２６で受信、増幅され、検波部３３０に送られる。検波部３３０では、検波が行われ、磁気共鳴信号の共鳴周波数成分が低周波数側へ移行される。その後、Ａ／Ｄ変換部３４０において、アナログ信号からデジタル信号に変換され、そして、データ処理部７７０に転送される。
【００８４】
つづいて、図１６示したデータ処理部７７０の具体的な構成を説明する。データ処理部７７０は、中央演算処理部７１０、高速演算処理部７２０、画像メモリ７３０、記憶部７４０、データバス７６０を有する。中央演算処理部７１０は、データバス７６０を介してデータ処理部７７０全体の制御、統括を行っている。記憶部７４０は、中央演算処理部７１０で実行するプログラムやデータが保存され、例えばコイルテーブル７４１やライブラリ（ｌｉｂｒａｒｙ）７４２が保存されている。画像メモリ７３０は、情報量が膨大になる画像情報の保存を行い、例えばコイル２１０〜２４０で受信された画像情報がＡ／Ｄ変換部３４０でデジタル化されて生データ５１０〜５４０として保存される。高速演算処理部７２０は、画像メモリ７３０に蓄積された生データ５１０〜５４０をフーリエ変換して画像情報を生成する等の画像演算を高速で処理する。
【００８５】
ここで、高速演算処理部７２０は、画像メモリ７３０に保存された生データ５１０〜５４０に対して、プリアンプ２１２〜２４２および受信部３２０〜３２６の増幅率のばらつき等の補正や、画像均一化処理を行う場合のコイル２１０〜２４０の磁気共鳴信号の受信位置に応じた位相補正行う。例えば、コイル２２０とコイル２４０の磁気共鳴信号に対して画像均一化処理を行う場合には、コイル２２０とコイル２４０とは対向しているので、１８０度の位相補正をコイル２２０あるいはコイル２４０のいずれか一つの生データに対して行い、その後にコイル２２０とコイル２４０の生データの加算が行われる。
【００８６】
なお、コイルテーブル７４１は、受信コイルとこの受信コイルが可能とする各種処理、例えば感度均一化処理、高速化処理、二乗和処理等を、受信コイルごとに対応表にしたものである。また、ライブラリ７４２は、過去に行われたパルスシーケンス情報および各種処理情報を蓄積している。このため、ライブラリ７４２を必要に応じて参照することにより、オペレータは、過去に行われたと同一条件の画像取得および画像合成処理を行うことができる。
【００８７】
つぎに、図１５および図１６に示したデータ収集部７５０およびデータ処理部７７０を有する磁気共鳴撮像装置の処理手順ついて述べる。図１７は、図１５および図１６に示したデータ収集部７５０およびデータ処理部７７０を有する磁気共鳴撮像装置の動作を示すフローチャートである。
【００８８】
図１７のフローチャートは、実施の形態１に示した図４のフローチャートに対応するものであり、ステップＳ４０３〜４１０およびステップＳ４２５に示した受信コイルの設定からパルスシーケンスの設定に至るステップおよび断層画像領域の変更に至るステップは同様であるので、ここでの詳細な説明を省略する。
【００８９】
ステップＳ４１０においてパルスシーケンスが設定されると、中央演算処理部７１０は、受信コイルの名称を操作部１９０からの入力情報あるいは図示しない受信コイル部１１０からのコイル検出情報にもとずいてスキャン可能かどうかを判定する（ステップＳ１７００）。そして、ステップＳ４１０で設定されたパルスシーケンスに基づいて画像スキャンを行い（ステップＳ１７０２）、生データ５１０〜５４０を取得する。
【００９０】
その後、中央演算処理部７１０は、ステップＳ１７００で検出した受信コイルの名称を用いて記憶部７４０に存在するコイルテーブル７４１の対応する項目を参照する。そして、この受信コイルが可能とする各種処理の中から最適な画像合成処理を選択する（ステップＳ１７０２）。この選択に際しては、オペレータにより受信コイルが可能とする各種処理の中から手動で最適な画像合成処理を選択しても良いし、あるいはライブラリ７４２の中から、受信コイルが可能とする使用頻度の高い画像合成処理を自動で選択しても良い。
【００９１】
その後、中央演算処理部７１０は、ステップＳ１７０２で選択された画像合成処理に基づいて断層画像の生成を行い（ステップＳ１７０３）、この生成された断層画像の表示を行う（ステップＳ１７０４）。ここで、オペレータは表示画像を見て、処理変更を行うかどうかを判定する（ステップＳ１７０５）。所望の画像が得られていない場合には、処理変更を行い（ステップＳ１７０５肯定）、ステップＳ１７０２に移行して再度画像合成処理の選択を行う。これにより、既存の生データ５１０〜５４０を用いた最適な画像合成処理を見つけることができる。例えば、感度均一化処理、二乗和処理、および高速化処理を用いる場合に、様々な受信コイルの組み合わせが可能であり、それらを１回のスキャンで得られた生データから、種々の組み合わせの受信コイルおよび処理の比較および検討ができる。
【００９２】
なお、生データ５１０〜５４０から生成される、異なる画像合成処理による複数の断層画像は、表示部１８０に同時表示されるので、これら断層画像を容易に比較検討することができる。また、所望の画像が得られた場合には、処理変更を行わず（ステップＳ１７０５否定）、次のステップＳ４２５に進む。
【００９３】
上述してきたように、この実施の形態３は、データ収集部７５０に入力されたコイル２１０〜２４０のすべての磁気共鳴信号を、受信部３２０〜３２６で受信して、検波部３３０で検波を行い、Ａ／Ｄ変換部３４０でデジタル化を行い、データ処理部７７０の画像メモリ７３０に格納することとしているので、磁気共鳴信号の加算、減算、位相補正といった処理を、データ処理部７７０でソフトウェア的に行うことができ、スイッチを用いてハードウェア的に行う場合よりも廉価に、しかも処理をソフトウェアを用いて高い自由度でもって行うことができるので、既存の生データを用いて複数の画像合成処理を行うことができる。また、画像合成処理の選択を、データ処理部に用意されたコイルと各種画像合成処理の対応表であるコイルテーブルを参照して選択することとしているので、画像均一化処理、高速化処理、二乗和処理以外の画像合成処理に対しても用いることのできる汎用性の高いものにすることができる。
【００９４】
【発明の効果】
以上説明したように、本発明によれば、複数の受信コイルをマグネットシステムの中心近傍に配置した後で、複数の受信コイルを必要とする、感度均一化処理、高速化処理、二乗和処理等の選択ができるようにしているので、前記処理に代表される画像合成処理を変更する際に受信コイルを取り替えなくても、感度均一化処理により画像合成処理に適した感度分布の受信コイルを得ることができ、被検体およびオペレータの受信コイル交換にかかる手間および肉体的負担が軽減される。また、受信コイル内に被検体が配置された後で画像合成処理を変更できるため、受信コイルと被検体の位置関係を全く変更せずに、画像合成処理を変更でき、画像合成処理を変更した後で、画像合成処理を変更する前と正確に同一位置の断層画像を取得することができ、前記画像合成処理の断層画像を比較・検討する際には、容易に被検体の同一位置の断層画像を取得することができるという効果を奏する。
【図面の簡単な説明】
【図１】磁気共鳴撮像装置の全体構成を示すブロック図である。
【図２】実施の形態１にかかる受信コイル部を示す外観図である。
【図３】実施の形態１にかかるデータ収集部を示すブロック図である。
【図４】磁気共鳴撮像装置の実施の形態１の動作を示すフローチャートである。
【図５】実施の形態１にかかる感度均一化処理を示すフローチャートである。
【図６】高速化処理の処理手順を示すフローチャートである。
【図７】高速化処理の断層画像領域を模式化して示した図である。
【図８】高速化処理のコイル感度分布を模式化して示した図である。
【図９】高速化処理の取得画像を模式化して示した図である。
【図１０】二乗和処理の処理手順を示すフローチャートである。
【図１１】二乗和処理の断層画像領域を模式化して示した図である。
【図１２】二乗和処理の取得画像を模式化して示した図である。
【図１３】実施の形態２にかかる受信コイル部を示す外観図である。
【図１４】実施の形態２にかかる感度均一化処理を示すフローチャートである。
【図１５】実施の形態３にかかるデータ収集部を示すブロック図である。
【図１６】実施の形態３にかかるデータ処理部を示すブロック図である。
【図１７】磁気共鳴撮像装置の実施の形態３の動作を示すフローチャートである。
【符号の説明】
１  被検体
１００  マグネットシステム
１０２  主磁場コイル部
１０６  勾配コイル部
１０８  コイル部
１０８  送信コイル部
１１０、１０００  受信コイル部
１２０  クレードル
１３０  勾配駆動部
１４０  送信駆動部
１５０、７５０  データ収集部
１６０  スキャンコントローラ部
１７０、７７０  データ処理部
１８０  表示部
１９０  操作部
２１０  コイル
２１２、２２２，２３２，２４２  プリアンプ
２２０、２２０、２３０、２４０  コイル
３０２、３０４  加算器
３１２、３１４、３１６、３１８  スイッチ
３２０、３２２、３２４、３２６  受信部
３３０  検波部
３４０  Ａ／Ｄ変換部
５１０、５２０、５３０，５４０  生データ
７１０  中央演算処理部
７２０  高速演算処理部
７３０  画像メモリ
７４０  記憶部
７４１  コイルテーブル
７４２  ライブラリ
７６０  データバス
１０１０、１０２０、１０３０、１０４０  コイル
１０１２、１０２２，１０３２，１０４２  プリアンプ
【図１】
0003842612.tif 000005
【図２】
0003842612.tif 000006
【図３】
0003842612.tif 000007
【図４】
0003842612.tif 000008
【図５】
0003842612.tif 000009
【図６】
0003842612.tif 000010
【図７】
0003842612.tif 000011
【図８】
0003842612.tif 000012
【図９】
0003842612.tif 000013
【図１０】
0003842612.tif 000014
【図１１】
0003842612.tif 000015
【図１２】
0003842612.tif 000016
【図１３】
0003842612.tif 000017
【図１４】
0003842612.tif 000018
【図１５】
0003842612.tif 000019
【図１６】
0003842612.tif 000020
【図１７】
0003842612.tif 000021